(57)【特許請求の範囲】
【請求項１】
側壁部と底面部からなるＬ字板状の受木部を有し、且つ前記底面部の側壁部と反対側の端から側壁部の垂設方向と反対方向に向けて斜設した固定脚部を連設した屋根用棟受金具において、前記屋根用棟受金具を二つ、左右対称にして且つ前後互い違いに配置し、各々の底面部の一部を切断可能な接続片で連結し、前記接続片に少なくとも一箇所以上の貫通孔を設けたことを特徴とする屋根用棟受金具。
【請求項２】
側壁部と底面部からなるＬ字板状の受木部を有し、且つ前記底面部の側壁部と反対側の端から側壁部と離れる方向に延設した胴部を連接し、更に前記胴部から側壁部の垂設方向と反対方向に向けて斜設した固定脚部を連設する屋根用棟受金具において、前記屋根用棟受金具を二つ、左右対称にして且つ前後互い違いに配置し各々の胴部の一部を切断可能な接続片で連結し、前記接続片に少なくとも一箇所以上の貫通孔を設けたことを特徴とする屋根用棟受金具。
【発明の詳細な説明】
【０００１】
【発明の属する技術】
本発明は住宅建築における屋根の棟部を構成する金具であり、特に棟木を保持する金具に関する。
【０００２】
【従来の技術】
従来の住宅の屋根における頂部となる棟部の構造は幅の狭い板材が軒先から連続して打ち付けられて形成された下地と瓦から成る屋根の頂部に土、漆喰等を介して瓦が積み上げられ盛り上げられて施工を行う湿式工法と呼ばれる棟部施工方法が一般的であった。しかし近年になり施工性、また棟部の耐風圧性能向上の為、金具を用いた乾式金物工法が主流になってきた。
【０００３】
【発明が解決しようとする課題】
このような背景のもと、近年主流になりつつある乾式金物工法では多種多様な金具が提案されている。その代表的な一例として実開昭５７−２１７１２では棟木の左右いずれか半分を受け止める形状にした金具が開示されている。また実公平６１−２７３４では一種類の棟木金具を適宜組み合わせ多目的に使用できる金具が開示されている。
【０００４】
ところで棟部を施工する作業者はその棟部の形状、取付強度、工期などを様々な要素を考慮し最も適切な形状の金具を選定し棟部の施工を行うこととなる。また棟受金具の受木部の大きさと棟木の大きさが異なる場合が数多くある。そこで作業者は上記の問題を解決できる様々な形状の金具を用意しておく必要がありこれでは経済的に非効率であり現実的には不可能という問題があった。
【０００５】
そこで棟部の形状、工期に左右されず耐風圧性能に優れ且つ棟木の大きさに左右されない作業者にとって経済的な金具を提供する事にある。
【０００６】
【課題を解決する為の手段】
上記ような課題を解決する為、請求項１の発明は側壁部と底面部からなるＬ字板状の受木部を有し、且つ前記底面部の側壁部と反対側の端から側壁部の垂設方向と反対方向に向けて斜設した固定脚部を連設し屋根用棟受金具において、前記屋根用棟受金具を二つ、左右対称にして且つ前後互い違いに配置し、各々の底面部の一部を切断可能な接続片で連結し、前記接続片に少なくとも一箇所以上の貫通孔を設けた構成を採用したものである。
【０００７】
請求項３の発明は側壁部と底面部からなるＬ字板状の受木部を有し、且つ前記底面部の側壁部と反対側の端から側壁部と離れる方向に延設した胴部を連接し、更に前記胴部から側壁部の垂設方向と反対方向に向けて斜設した固定脚部を連設する屋根用棟受金具において、前記屋根用棟受金具を二つ、左右対称にして且つ前後互い違いに配置し各々の胴部の一部を切断可能な接続片で連結し、前記接続片に少なくとも一箇所以上の貫通孔を設けた構成を採用したものである。
【０００８】
【発明の実施の形態】
以下、この発明の実施の形態を図事例と共に説明する。
【０００９】
図１に示す発明実施の形態について説明する。側壁部１と底面部２からなるＬ字板状の受木部３を有し、且つ前記底面部２の側壁部１と反対側の端から側壁部１の垂設方向と反対方向に向けて斜設した固定脚部４を連設した屋根用棟受金具において、前記屋根用棟受金具を二つ、左右対称にして且つ前後互い違いに配置し、各々の底面部２の一部を切断可能な接続片１０で連結し、前記接続片１０に少なくとも一箇所以上の貫通孔１２を設けたことを特徴とする屋根用棟受金具である。尚、本実施例では側壁部１及び固定客部４にはねじ、釘８などの固着具用の挿通穴５を設けてある。
【００１０】
次に実施の形態を図２に示す。図２においては棟木９と左右対称にして且つ前後互い違いにした時の受木部３の大きさがほぼ同じ場合に有効な取付方法である。まず始めに屋根頂部６に本発明の金具を仮置きしてゆく。仮置きの後、野地板７に本金具を固定する。固定にあたっては固定脚部４に接着剤を塗布し野地板７に固定しても良いが、本実施例では固着具用の挿通穴５を利用して、ねじ、釘８などで野地板７に取り付けている。本金具を野地板７に固定後、棟木９を本金具の受木部３にはめ込み、その後、図３のように側壁部１に設けた固着具用の挿通穴５を介してねじ、釘８で棟木９を本金具と固定できる。無論、接着剤を用いて棟木９を固定しても良い。
【００１１】
次に本金具の棟木９の大きさと左右対称にして且つ前後互い違いにした時の受木部３の大きさが異なる場合の有効な取付方法である。前述の受木部３と棟木９の大きさが異なる場合は、本金具の切断可能な接続片１０を利器工具等で切断し二つに分ける。尚、切断にあたって利器工具が準備できない場合は、切断可能な接続片１０を繰り返し折り曲げることで本金具を二つに分けることも可能である。
【００１２】
尚、図５のように切断可能な接続片１０に貫通孔１２を設けておくと更に切断が行いやすくなる。
【００１３】
このようにして二つに分けられた各々の本金具を図６のように棟木９を中心に左右対称にして且つ前後互い違いに取り付ける。取付にあたっては周知のように接着剤を用いても良いが、本実施例では挿通穴５を介してねじ、釘８で固定している。このようにして本金具を取りつけた棟木９を図３と同様に屋根頂部６に設置し、ねじ、釘８を用いて野地板７に固定すればよい。尚、この実施例で示す本発明の金具は平瓦などを用いた洋風の棟部を施工するのに適している。
【００１４】
次に図７に示す発明実施の形態について説明する。側壁部１と底面部２からなるＬ字板状の受木部３を有し、且つ前記底面部２の側壁部１と反対側の端から側壁部１と離れる方向に延設した胴部１１を連接し、更に前記胴部１１から側壁部１の垂設方向と反対方向に向けて斜設した固定脚部４を連設する屋根用棟受金具において、前記屋根用棟受金具を二つ、左右対称にして且つ前後互い違いに配置し各々の胴部１１の一部を切断可能な接続片１０で連結し、前記接続片１０に少なくとも一箇所以上の貫通孔１２を設けたことを特徴とする屋根用棟受金具である。尚、図中において切断可能な接続片は複数設けているが１つであってもよい。
【００１５】
この本金具においても前述のように使用目的に応じ切断せずに使用することも可能であるし、また胴部１１の切断可能な接続片１０を切断して用いることも可能となる。この図７に示す本発明の金具は純和風の冠瓦などを用いた棟部に適している。
【００１６】
【発明の効果】
以上のように、この発明によると棟部を施工する際に本発明の金具で臨機応変な棟部施工を行うことが可能となる上に、金具の管理が容易くなると共にコスト低減が可能となる。
【図面の簡単な説明】
【図１】本発明の金具の基本構成を示す斜視図である。
【図２】本発明の金具を用いた施工時の形態を示す斜視図である。
【図３】本発明の金具を用いた施工時の形態を示す斜視図である。
【図４】本発明の金具の他の実施形態を示す斜視図である。
【図５】本発明の金具の特徴的な部分である貫通孔を強調して示す斜視図である。
【図６】本発明の金具を用いた施工時の形態を示す斜視図である。
【図７】本発明の金具の他の実施形態を示す斜視図である。
【図８】本発明の金具の他の実施形態を示す斜視図である。
【図９】本発明の金具の他の実施形態を示す斜視図である。
【図１０】本発明の金具の他の実施形態を示す斜視図である。
【符号の説明】
１ 側壁部
２ 底面部
３ 受木部
４ 固定脚部
５ 挿通穴
６ 屋根頂部
７ 野地板
８ ねじ、釘
９ 棟木
１０ 接続片
１１ 胴部
１２ 貫通孔
【図２】
0004780873.tif 000002
【図３】
0004780873.tif 000003
【図４】
0004780873.tif 000004
【図５】
0004780873.tif 000005
【図６】
0004780873.tif 000006
【図８】
0004780873.tif 000007
【図９】
0004780873.tif 000008
【図１０】
0004780873.tif 000009
【図１】
0004780873.tif 000010
【図７】
0004780873.tif 000011